(57)【要約】  電子機器の筐体が局所的に高温になることを抑制することができるとともに、電子機器を従来より薄型化することができ、使用者によってキーが押されるときに使用者に与えるクリック感を従来より向上することができる押圧式スイッチを提供する。  電子機器の押圧式スイッチ１０は、互いに離隔した固定接点１１ａ、１１ｂを有したプリント基板１１と、固定接点１１ａ、１１ｂに接触させられたときに複数の固定接点１１ａ、１１ｂ間を導通させる金属製ダイヤフラムからなる可動接点１２と、可動接点１２を保持しプリント基板１１に固定された保持シート１３と、保持シート１３に対してプリント基板１１側とは反対側に配置されて保持シート１３と一体化された熱伝導層１４と、熱伝導層１４を保護するために熱伝導層１４に対して保持シート１３側とは反対側に配置された保護シート１５とを備える。
2007074512.tif 000002
【特許請求の範囲】
【請求項１】
互いに離隔した複数の固定接点を有したプリント基板と、前記複数の固定接点に接触させられたときに前記複数の固定接点間を導通させる金属製ダイヤフラムからなる可動接点と、前記可動接点を保持し前記プリント基板に固定された保持シートと、前記保持シートに対して前記プリント基板側とは反対側に配置されて前記保持シートと一体化された熱伝導層と、前記熱伝導層を保護するために前記熱伝導層に対して前記保持シート側とは反対側に配置された保護シートとを備えたことを特徴とする押圧式スイッチ。
【請求項２】
前記熱伝導層は、グラファイトで形成されていることを特徴とする請求項１に記載の押圧式スイッチ。
【請求項３】
前記保護シートは、全体又は一部が白色又は光沢色で形成されていることを特徴とする請求項１又は２に記載の押圧式スイッチ。
【請求項４】
前記熱伝導層及び前記保護シートは、前記可動接点に対向する部分が開口していることを特徴とする請求項１から請求項３までの何れかに記載の押圧式スイッチ。
【請求項５】
前記プリント基板は、グランドパターンが形成されており、
前記熱伝導層は、導電性であり、前記グランドパターンに電気的に接続されていることを特徴とする請求項１から請求項４までの何れかに記載の押圧式スイッチ。
【発明の詳細な説明】
【技術分野】
【０００１】
本発明は、電子機器の押圧式スイッチに関するものである。
【背景技術】
【０００２】
従来、押圧式スイッチを備えた電子機器として、携帯用電子機器が知られている（例えば特許文献１参照。）。【０００３】
携帯用電子機器は、内蔵した発熱性の素子によって発生させられた熱によって筐体が局所的に高温になる。携帯用電子機器の筐体が局所的に高温になることは、携帯用電子機器の使用者に不快感を与えることになる。近年の携帯用電子機器の小型化・薄型化によって、携帯用電子機器の筐体の温度はますます上昇し易くなってきている。【０００４】
従来の電子機器において、筐体のキーボード部分が局所的に高温になることを抑制する構造として例えば図４に示す押圧式スイッチ９０のような構造が知られている。押圧式スイッチ９０は、互いに離隔した固定接点９１ａ及び固定接点９１ｂを有したプリント基板９１と、固定接点９１ａ及び固定接点９１ｂに接触させられたときに固定接点９１ａ及び固定接点９１ｂ間を導通させる金属製ダイヤフラムからなる可動接点９２と、可動接点９２を保持しプリント基板９１に固定された保持シート９３と、プリント基板９１上で発生した熱を拡散するための熱拡散シート９４と、熱拡散シート９４に対して保持シート９３側とは反対側に配置されたキーシート９６と、キーシート９６に対して熱拡散シート９４側とは反対側に配置された電子機器の筐体のキーボード部分９７とを備えている。【０００５】
熱拡散シート９４は、熱を伝導させる熱伝導層９４ａと、熱伝導層９４ａを保護するために熱伝導層９４ａを両側から挟んだ保護シート９４ｂとを有している。【０００６】
押圧式スイッチ９０は、プリント基板９１上で発生した熱を熱拡散シート９４によって熱拡散シート９４の広がり方向に拡散することによって、電子機器の筐体のキーボード部分９７が局所的に高温になることを抑制している。
【特許文献１】特開２００５−３２４９５号公報
【発明の開示】
【発明が解決しようとする課題】
【０００７】
しかしながら、押圧式スイッチ９０においては、熱拡散シート９４が厚いので、電子機器の薄型化が困難であるという問題や、使用者によってキーが押されるときに使用者に与えるクリック感が損なわれるという問題等があった。【０００８】
本発明は、このような従来の問題点を解決するためのものであり、電子機器の筐体が局所的に高温になることを抑制することができるとともに、電子機器を従来より薄型化することができ、使用者によってキーが押されるときに使用者に与えるクリック感を従来より向上することができる押圧式スイッチを提供することを目的としている。
【課題を解決するための手段】
【０００９】
本発明の押圧式スイッチは、互いに離隔した複数の固定接点を有したプリント基板と、前記複数の固定接点に接触させられたときに前記複数の固定接点間を導通させる金属製ダイヤフラムからなる可動接点と、前記可動接点を保持し前記プリント基板に固定された保持シートと、前記保持シートに対して前記プリント基板側とは反対側に配置されて前記保持シートと一体化された熱伝導層と、前記熱伝導層を保護するために前記熱伝導層に対して前記保持シート側とは反対側に配置された保護シートとを備えた構成を有している。【００１０】
この構成により、本発明の押圧式スイッチは、プリント基板上で発生する熱を熱伝導層の広がり方向に熱伝導層によって拡散するので、電子機器の筐体のキーボード部分が局所的に高温になることを抑制することができる。また、本発明の押圧式スイッチは、保持シート、熱伝導層及び保護シートからなるシート部分の厚みが従来より薄いので、電子機器を従来より薄型化することができ、使用者によってキーが押されるときに使用者に与えるクリック感を従来より向上することができる。【００１１】
また、本発明の押圧式スイッチの前記熱伝導層は、グラファイトで形成されている構成を有している。【００１２】
この構成により、本発明の押圧式スイッチは、シート部分の厚みをより薄くすることができるので、電子機器をより薄型化することができ、使用者によってキーが押されるときに使用者に与えるクリック感をより向上することができる。【００１３】
また、本発明の押圧式スイッチの前記保護シートは、全体又は一部が白色又は光沢色で形成されている構成を有している。【００１４】
この構成により、本発明の押圧式スイッチは、キーボードの照光を色むらのないように形成することができる。【００１５】
また、本発明の押圧式スイッチの前記熱伝導層及び前記保護シートは、前記可動接点に対向する部分が開口している構成を有している。【００１６】
この構成により、本発明の押圧式スイッチは、シート部分のうち可動接点に対向する部分の厚みをより薄くすることができるので、電子機器をより薄型化することができ、使用者によってキーが押されるときに使用者に与えるクリック感をより向上することができる。【００１７】
また、本発明の押圧式スイッチの前記プリント基板は、グランドパターンが形成されており、前記熱伝導層は、導電性であり、前記グランドパターンに電気的に接続されている構成を有している。【００１８】
この構成により、本発明の押圧式スイッチは、プリント基板への静電気の進入を防ぎ、静電気による電子機器の誤動作を防止することができる。
【発明の効果】
【００１９】
本発明は、電子機器の筐体が局所的に高温になることを抑制することができるとともに、電子機器を従来より薄型化することができ、使用者によってキーが押されるときに使用者に与えるクリック感を従来より向上することができる押圧式スイッチを提供することができるものである。
【図面の簡単な説明】
【００２０】
【図１】図１は、本発明の第１の実施の形態に係る押圧式スイッチの側面断面図である。
【図２】図２は、本発明の第２の実施の形態に係る押圧式スイッチの側面断面図である。
【図３】図３は、本発明の第３の実施の形態に係る押圧式スイッチの側面断面図である。
【図４】図４は、従来の押圧式スイッチの側面断面図である。
【符号の説明】
【００２１】
１０  押圧式スイッチ
１１  プリント基板
１１ａ、１１ｂ  固定接点
１２  可動接点
１３  保持シート
１４  熱伝導層
１５  保護シート
２０  押圧式スイッチ
２４  熱伝導層
２５  保護シート
３０  押圧式スイッチ
３１  プリント基板
３１ａ、３１ｂ  固定接点
３１ｃ  グランドパターン
３４  熱伝導層
【発明を実施するための最良の形態】
【００２２】
以下、本発明の実施の形態について、図面を参照しながら説明する。【００２３】
（第１の実施の形態）
まず、第１の実施の形態に係る押圧式スイッチの構成について説明する。【００２４】
図１に示すように、本実施の形態に係る押圧式スイッチ１０は、電子機器に備えられている。【００２５】
押圧式スイッチ１０は、互いに離隔した固定接点１１ａ及び固定接点１１ｂを有したプリント基板１１と、固定接点１１ａ及び固定接点１１ｂに接触させられたときに固定接点１１ａ及び固定接点１１ｂ間を導通させる金属製ダイヤフラムからなる可動接点１２と、可動接点１２を保持しプリント基板１１に固定された保持シート１３と、プリント基板１１上で発生した熱を拡散するための熱伝導層１４と、熱伝導層１４を保護するための保護シート１５と、使用者等によって押されるボタン部１６ａを有し保護シート１５に対して熱伝導層１４側とは反対側に配置されたキーシート１６と、キーシート１６に対して保護シート１５側とは反対側に配置された電子機器の筐体のキーボード部分１７とを備えている。【００２６】
熱伝導層１４は、保持シート１３に対してプリント基板１１側とは反対側に配置されて保持シート１３と一体化されている。【００２７】
保護シート１５は、熱伝導層１４に対して保持シート１３側とは反対側に配置されて熱伝導層１４と一体化されている。【００２８】
次に、押圧式スイッチ１０の動作について説明する。【００２９】
押圧式スイッチ１０は、電子機器の使用者によってキーシート１６のボタン部１６ａがプリント基板１１側に押されると、ボタン部１６ａによって保護シート１５、熱伝導層１４、保持シート１３を介してプリント基板１１側に押された可動接点１２がプリント基板１１の固定接点１１ａ及び固定接点１１ｂに接触させられ、固定接点１１ａ及び固定接点１１ｂ間が可動接点１２を介して導通させられる。【００３０】
固定接点１１ａ及び固定接点１１ｂ間が可動接点１２を介して導通させられると、プリント基板１１上で熱が発生する。【００３１】
そして、押圧式スイッチ１０は、プリント基板１１上で発生した熱を熱伝導層１４によって熱伝導層１４の広がり方向に拡散する。【００３２】
以上に説明したように、押圧式スイッチ１０は、プリント基板１１上で発生する熱を熱伝導層１４の広がり方向に熱伝導層１４によって拡散するので、電子機器の筐体のキーボード部分１７が局所的に高温になることを抑制することができる。【００３３】
また、押圧式スイッチ１０は、保持シート１３、熱伝導層１４及び保護シート１５からなるシート部分の厚みが従来より薄いので、電子機器を従来より薄型化することができ、使用者によってキーが押されるときに使用者に与えるクリック感を従来より向上することができる。【００３４】
また、押圧式スイッチ１０は、保持シート１３と熱伝導層１４との間に従来のような保護シートを設ける必要がないので、部品点数の削減によって製造工数及び製造コストを従来より削減することができる。さらに電子機器の組み立てにおいて、従来の熱拡散シート９４（図４参照。）を組み込む必要がなくなり、組立工数を従来より削減することができる。【００３５】
なお、押圧式スイッチ１０は、熱伝導層１４がグラファイトで形成されるようになっていても良い。熱伝導層１４は、グラファイトで形成される場合、広がり方向への熱伝導率が７００Ｗ／（ｍ・Ｋ）以上と高く、１００μｍ以下に薄くすることができる。即ち、押圧式スイッチ１０は、熱伝導層１４がグラファイトで形成されるようになっている場合、保持シート１３、熱伝導層１４及び保護シート１５からなるシート部分の厚みをより薄くすることができるので、電子機器をより薄型化することができ、使用者によってキーが押されるときに使用者に与えるクリック感をより向上することができる。【００３６】
また、押圧式スイッチ１０は、プリント基板１１に実装されたＬＥＤ(図示せず)の発光によりキーシート１６のボタン部１６aを照光する場合に、保護シート１５を全体又は一部が白色又は光沢色で形成することにより、キーシート１６全体のボタン部１６ａの色むらのないように形成することができる。【００３７】
（第２の実施の形態）
第２の実施の形態に係る押圧式スイッチの構成のうち、第１の実施の形態に係る押圧式スイッチ１０（図１参照。）の構成と同様な構成については、押圧式スイッチ１０の構成と同一の符号を付して説明を省略する。【００３８】
図２に示すように、本実施の形態に係る押圧式スイッチ２０の構成は、プリント基板１１上で発生した熱を拡散するための熱伝導層２４と、熱伝導層２４を保護するための保護シート２５とを熱伝導層１４（図１参照。）及び保護シート１５（図１参照。）に代えて押圧式スイッチ１０（図１参照。）が備えた構成と同様である。【００３９】
熱伝導層２４及び保護シート２５は、可動接点１２に対向する部分が開口している。【００４０】
押圧式スイッチ２０は、熱伝導層２４及び保護シート２５の可動接点１２に対向する部分が開口しているので、保持シート１３、熱伝導層２４及び保護シート２５からなるシート部分のうち可動接点１２に対向する部分の厚みを押圧式スイッチ１０より薄くすることができる。したがって、押圧式スイッチ２０は、電子機器を押圧式スイッチ１０より薄型化することができ、使用者によってキーが押されるときに使用者に与えるクリック感を押圧式スイッチ１０より向上することができる。【００４１】
（第３の実施の形態）
第３の実施の形態に係る押圧式スイッチの構成のうち、第１の実施の形態に係る押圧式スイッチ１０（図１参照。）の構成と同様な構成については、押圧式スイッチ１０の構成と同一の符号を付して説明を省略する。【００４２】
図３に示すように、本実施の形態に係る押圧式スイッチ３０の構成は、互いに離隔した固定接点３１ａ、固定接点３１ｂ及びグランドパターン３１ｃを有したプリント基板３１と、プリント基板３１上で発生した熱を拡散するための導電性の熱伝導層３４と、熱伝導層３４及びグランドパターン３１ｃを電気的に接続する導電性接着剤３８とをプリント基板１１（図１参照。）及び熱伝導層１４（図１参照。）に代えて押圧式スイッチ１０（図１参照。）が備えた構成と同様である。【００４３】
押圧式スイッチ３０は、導電性の熱伝導層３４がプリント基板３１のグランドパターン３１ｃに電気的に接続されるので、プリント基板３１への静電気の進入を防ぎ、静電気による電子機器の誤動作を防止することができる。
【産業上の利用可能性】
【００４４】
以上のように、本発明に係る押圧式スイッチは、電子機器の筐体が局所的に高温になることを抑制することができるとともに、電子機器を従来より薄型化することができ、使用者によってキーが押されるときに使用者に与えるクリック感を従来より向上することができるという効果を有し、携帯電話機用の押圧式スイッチ等として有用である。
【図１】
2007074512.tif 000003
【図２】
2007074512.tif 000004
【図３】
2007074512.tif 000005
【図４】
2007074512.tif 000006
【手続補正書】
【提出日】平成20年4月16日(2008.4.16)
【手続補正１】
【補正対象書類名】特許請求の範囲
【補正対象項目名】全文
【補正方法】変更
【補正の内容】
【特許請求の範囲】
【請求項１】
互いに離隔した複数の固定接点を有したプリント基板と、前記複数の固定接点に接触させられたときに前記複数の固定接点間を導通させる金属製ダイヤフラムからなる可動接点と、前記可動接点を保持し前記プリント基板に固定された保持シートと、前記保持シートに対して前記プリント基板側とは反対側に配置されて前記保持シートと一体化された熱伝導層と、前記熱伝導層を保護するために前記熱伝導層に対して前記保持シート側とは反対側に配置された保護シートとを備えたことを特徴とする押圧式スイッチ。
【請求項２】
前記熱伝導層は、グラファイトで形成されていることを特徴とする請求項１に記載の押圧式スイッチ。
【請求項３】
前記保護シートは、全体又は一部が白色又は光沢色で形成されていることを特徴とする請求項１又は２に記載の押圧式スイッチ。
【請求項４】
前記熱伝導層及び前記保護シートは、前記可動接点に対向する部分が開口していることを特徴とする請求項１から請求項３までの何れかに記載の押圧式スイッチ。
【請求項５】
前記プリント基板は、グランドパターンが形成されており、
前記熱伝導層は、導電性であり、前記グランドパターンに電気的に接続されていることを特徴とする請求項１から請求項４までの何れかに記載の押圧式スイッチ。
【手続補正２】
【補正対象書類名】明細書
【補正対象項目名】全文
【補正方法】変更
【補正の内容】
【発明の詳細な説明】
【技術分野】
【０００１】
本発明は、電子機器の押圧式スイッチに関するものである。
【背景技術】
【０００２】
従来、押圧式スイッチを備えた電子機器として、携帯用電子機器が知られている（例えば特許文献１参照。）。
【０００３】
携帯用電子機器は、内蔵した発熱性の素子によって発生させられた熱によって筐体が局所的に高温になる。携帯用電子機器の筐体が局所的に高温になることは、携帯用電子機器の使用者に不快感を与えることになる。近年の携帯用電子機器の小型化・薄型化によって、携帯用電子機器の筐体の温度はますます上昇し易くなってきている。
【０００４】
従来の電子機器において、筐体のキーボード部分が局所的に高温になることを抑制する構造として例えば図４に示す押圧式スイッチ９０のような構造が知られている。押圧式スイッチ９０は、互いに離隔した固定接点９１ａ及び固定接点９１ｂを有したプリント基板９１と、固定接点９１ａ及び固定接点９１ｂに接触させられたときに固定接点９１ａ及び固定接点９１ｂ間を導通させる金属製ダイヤフラムからなる可動接点９２と、可動接点９２を保持しプリント基板９１に固定された保持シート９３と、プリント基板９１上で発生した熱を拡散するための熱拡散シート９４と、熱拡散シート９４に対して保持シート９３側とは反対側に配置されたキーシート９６と、キーシート９６に対して熱拡散シート９４側とは反対側に配置された電子機器の筐体のキーボード部分９７とを備えている。
【０００５】
熱拡散シート９４は、熱を伝導させる熱伝導層９４ａと、熱伝導層９４ａを保護するために熱伝導層９４ａを両側から挟んだ保護シート９４ｂとを有している。
【０００６】
押圧式スイッチ９０は、プリント基板９１上で発生した熱を熱拡散シート９４によって熱拡散シート９４の広がり方向に拡散することによって、電子機器の筐体のキーボード部分９７が局所的に高温になることを抑制している。
【特許文献１】特開２００５−３２４９５号公報
【発明の開示】
【発明が解決しようとする課題】
【０００７】
しかしながら、押圧式スイッチ９０においては、熱拡散シート９４が厚いので、電子機器の薄型化が困難であるという問題や、使用者によってキーが押されるときに使用者に与えるクリック感が損なわれるという問題等があった。
【０００８】
本発明は、このような従来の問題点を解決するためのものであり、電子機器の筐体が局所的に高温になることを抑制することができるとともに、電子機器を従来より薄型化することができ、使用者によってキーが押されるときに使用者に与えるクリック感を従来より向上することができる押圧式スイッチを提供することを目的としている。
【課題を解決するための手段】
【０００９】
本発明の押圧式スイッチは、互いに離隔した複数の固定接点を有したプリント基板と、前記複数の固定接点に接触させられたときに前記複数の固定接点間を導通させる金属製ダイヤフラムからなる可動接点と、前記可動接点を保持し前記プリント基板に固定された保持シートと、前記保持シートに対して前記プリント基板側とは反対側に配置されて前記保持シートと一体化された熱伝導層と、前記熱伝導層を保護するために前記熱伝導層に対して前記保持シート側とは反対側に配置された保護シートとを備えた構成を有している。
【００１０】
この構成により、本発明の押圧式スイッチは、プリント基板上で発生する熱を熱伝導層の広がり方向に熱伝導層によって拡散するので、電子機器の筐体のキーボード部分が局所的に高温になることを抑制することができる。また、本発明の押圧式スイッチは、保持シート、熱伝導層及び保護シートからなるシート部分の厚みが従来より薄いので、電子機器を従来より薄型化することができ、使用者によってキーが押されるときに使用者に与えるクリック感を従来より向上することができる。
【００１１】
また、本発明の押圧式スイッチの前記熱伝導層は、グラファイトで形成されている構成を有している。
【００１２】
この構成により、本発明の押圧式スイッチは、シート部分の厚みをより薄くすることができるので、電子機器をより薄型化することができ、使用者によってキーが押されるときに使用者に与えるクリック感をより向上することができる。
【００１３】
また、本発明の押圧式スイッチの前記保護シートは、全体又は一部が白色又は光沢色で形成されている構成を有している。
【００１４】
この構成により、本発明の押圧式スイッチは、キーボードの照光を色むらのないように形成することができる。
【００１５】
また、本発明の押圧式スイッチの前記熱伝導層及び前記保護シートは、前記可動接点に対向する部分が開口している構成を有している。
【００１６】
この構成により、本発明の押圧式スイッチは、シート部分のうち可動接点に対向する部分の厚みをより薄くすることができるので、電子機器をより薄型化することができ、使用者によってキーが押されるときに使用者に与えるクリック感をより向上することができる。
【００１７】
また、本発明の押圧式スイッチの前記プリント基板は、グランドパターンが形成されており、前記熱伝導層は、導電性であり、前記グランドパターンに電気的に接続されている構成を有している。
【００１８】
この構成により、本発明の押圧式スイッチは、プリント基板への静電気の進入を防ぎ、静電気による電子機器の誤動作を防止することができる。
【発明の効果】
【００１９】
本発明は、電子機器の筐体が局所的に高温になることを抑制することができるとともに、電子機器を従来より薄型化することができ、使用者によってキーが押されるときに使用者に与えるクリック感を従来より向上することができる押圧式スイッチを提供することができるものである。
【発明を実施するための最良の形態】
【００２０】
以下、本発明の実施の形態について、図面を参照しながら説明する。
【００２１】
（第１の実施の形態）
まず、第１の実施の形態に係る押圧式スイッチの構成について説明する。
【００２２】
図１に示すように、本実施の形態に係る押圧式スイッチ１０は、電子機器に備えられている。
【００２３】
押圧式スイッチ１０は、互いに離隔した固定接点１１ａ及び固定接点１１ｂを有したプリント基板１１と、固定接点１１ａ及び固定接点１１ｂに接触させられたときに固定接点１１ａ及び固定接点１１ｂ間を導通させる金属製ダイヤフラムからなる可動接点１２と、可動接点１２を保持しプリント基板１１に固定された保持シート１３と、プリント基板１１上で発生した熱を拡散するための熱伝導層１４と、熱伝導層１４を保護するための保護シート１５と、使用者等によって押されるボタン部１６ａを有し保護シート１５に対して熱伝導層１４側とは反対側に配置されたキーシート１６と、キーシート１６に対して保護シート１５側とは反対側に配置された電子機器の筐体のキーボード部分１７とを備えている。
【００２４】
熱伝導層１４は、保持シート１３に対してプリント基板１１側とは反対側に配置されて保持シート１３と一体化されている。
【００２５】
保護シート１５は、熱伝導層１４に対して保持シート１３側とは反対側に配置されて熱伝導層１４と一体化されている。
【００２６】
次に、押圧式スイッチ１０の動作について説明する。
【００２７】
押圧式スイッチ１０は、電子機器の使用者によってキーシート１６のボタン部１６ａがプリント基板１１側に押されると、ボタン部１６ａによって保護シート１５、熱伝導層１４、保持シート１３を介してプリント基板１１側に押された可動接点１２がプリント基板１１の固定接点１１ａ及び固定接点１１ｂに接触させられ、固定接点１１ａ及び固定接点１１ｂ間が可動接点１２を介して導通させられる。
【００２８】
固定接点１１ａ及び固定接点１１ｂ間が可動接点１２を介して導通させられると、プリント基板１１上で熱が発生する。
【００２９】
そして、押圧式スイッチ１０は、プリント基板１１上で発生した熱を熱伝導層１４によって熱伝導層１４の広がり方向に拡散する。
【００３０】
以上に説明したように、押圧式スイッチ１０は、プリント基板１１上で発生する熱を熱伝導層１４の広がり方向に熱伝導層１４によって拡散するので、電子機器の筐体のキーボード部分１７が局所的に高温になることを抑制することができる。
【００３１】
また、押圧式スイッチ１０は、保持シート１３、熱伝導層１４及び保護シート１５からなるシート部分の厚みが従来より薄いので、電子機器を従来より薄型化することができ、使用者によってキーが押されるときに使用者に与えるクリック感を従来より向上することができる。
【００３２】
また、押圧式スイッチ１０は、保持シート１３と熱伝導層１４との間に従来のような保護シートを設ける必要がないので、部品点数の削減によって製造工数及び製造コストを従来より削減することができる。さらに電子機器の組み立てにおいて、従来の熱拡散シート９４（図４参照。）を組み込む必要がなくなり、組立工数を従来より削減することができる。
【００３３】
なお、押圧式スイッチ１０は、熱伝導層１４がグラファイトで形成されるようになっていても良い。熱伝導層１４は、グラファイトで形成される場合、広がり方向への熱伝導率が７００Ｗ／（ｍ・Ｋ）以上と高く、１００μｍ以下に薄くすることができる。即ち、押圧式スイッチ１０は、熱伝導層１４がグラファイトで形成されるようになっている場合、保持シート１３、熱伝導層１４及び保護シート１５からなるシート部分の厚みをより薄くすることができるので、電子機器をより薄型化することができ、使用者によってキーが押されるときに使用者に与えるクリック感をより向上することができる。
【００３４】
また、押圧式スイッチ１０は、プリント基板１１に実装されたＬＥＤ(図示せず)の発光によりキーシート１６のボタン部１６aを照光する場合に、保護シート１５を全体又は一部が白色又は光沢色で形成することにより、キーシート１６全体のボタン部１６ａの色むらのないように形成することができる。
【００３５】
（第２の実施の形態）
第２の実施の形態に係る押圧式スイッチの構成のうち、第１の実施の形態に係る押圧式スイッチ１０（図１参照。）の構成と同様な構成については、押圧式スイッチ１０の構成と同一の符号を付して説明を省略する。
【００３６】
図２に示すように、本実施の形態に係る押圧式スイッチ２０の構成は、プリント基板１１上で発生した熱を拡散するための熱伝導層２４と、熱伝導層２４を保護するための保護シート２５とを熱伝導層１４（図１参照。）及び保護シート１５（図１参照。）に代えて押圧式スイッチ１０（図１参照。）が備えた構成と同様である。
【００３７】
熱伝導層２４及び保護シート２５は、可動接点１２に対向する部分が開口している。
【００３８】
押圧式スイッチ２０は、熱伝導層２４及び保護シート２５の可動接点１２に対向する部分が開口しているので、保持シート１３、熱伝導層２４及び保護シート２５からなるシート部分のうち可動接点１２に対向する部分の厚みを押圧式スイッチ１０より薄くすることができる。したがって、押圧式スイッチ２０は、電子機器を押圧式スイッチ１０より薄型化することができ、使用者によってキーが押されるときに使用者に与えるクリック感を押圧式スイッチ１０より向上することができる。
【００３９】
（第３の実施の形態）
第３の実施の形態に係る押圧式スイッチの構成のうち、第１の実施の形態に係る押圧式スイッチ１０（図１参照。）の構成と同様な構成については、押圧式スイッチ１０の構成と同一の符号を付して説明を省略する。
【００４０】
図３に示すように、本実施の形態に係る押圧式スイッチ３０の構成は、互いに離隔した固定接点３１ａ、固定接点３１ｂ及びグランドパターン３１ｃを有したプリント基板３１と、プリント基板３１上で発生した熱を拡散するための導電性の熱伝導層３４と、熱伝導層３４及びグランドパターン３１ｃを電気的に接続する導電性接着剤３８とをプリント基板１１（図１参照。）及び熱伝導層１４（図１参照。）に代えて押圧式スイッチ１０（図１参照。）が備えた構成と同様である。
【００４１】
押圧式スイッチ３０は、導電性の熱伝導層３４がプリント基板３１のグランドパターン３１ｃに電気的に接続されるので、プリント基板３１への静電気の進入を防ぎ、静電気による電子機器の誤動作を防止することができる。
【産業上の利用可能性】
【００４２】
以上のように、本発明に係る押圧式スイッチは、電子機器の筐体が局所的に高温になることを抑制することができるとともに、電子機器を従来より薄型化することができ、使用者によってキーが押されるときに使用者に与えるクリック感を従来より向上することができるという効果を有し、携帯電話機用の押圧式スイッチ等として有用である。
【図面の簡単な説明】
【００４３】
【図１】図１は、本発明の第１の実施の形態に係る押圧式スイッチの側面断面図である。
【図２】図２は、本発明の第２の実施の形態に係る押圧式スイッチの側面断面図である。
【図３】図３は、本発明の第３の実施の形態に係る押圧式スイッチの側面断面図である。
【図４】図４は、従来の押圧式スイッチの側面断面図である。
【符号の説明】
【００４４】
１０  押圧式スイッチ
１１  プリント基板
１１ａ、１１ｂ  固定接点
１２  可動接点
１３  保持シート
１４  熱伝導層
１５  保護シート
２０  押圧式スイッチ
２４  熱伝導層
２５  保護シート
３０  押圧式スイッチ
３１  プリント基板
３１ａ、３１ｂ  固定接点
３１ｃ  グランドパターン
３４  熱伝導層
【手続補正３】
【補正対象書類名】図面
【補正対象項目名】全図
【補正方法】変更
【補正の内容】
【図１】
2007074512.tif 000007
【図２】
2007074512.tif 000008
【図３】
2007074512.tif 000009
【図４】
2007074512.tif 000010
【手続補正書】
【提出日】平成20年12月8日(2008.12.8)
【手続補正１】
【補正対象書類名】特許請求の範囲
【補正対象項目名】全文
【補正方法】変更
【補正の内容】
【特許請求の範囲】
【請求項１】
互いに離隔した複数の固定接点を有したプリント基板と、前記複数の固定接点に接触させられたときに前記複数の固定接点間を導通させる可動接点と、前記可動接点を保持し前記プリント基板に固定された保持シートと、前記保持シートに対して前記プリント基板側とは反対側に配置されて前記保持シートと一体化された熱伝導層と、前記熱伝導層を保護するために前記熱伝導層に対して前記保持シート側とは反対側に配置された保護シートとを備え、前記熱伝導層は、グラファイトで形成されていることを特徴とする押圧式スイッチ。
【請求項２】
互いに離隔した複数の固定接点を有したプリント基板と、前記複数の固定接点に接触させられたときに前記複数の固定接点間を導通させる可動接点と、前記可動接点を保持し前記プリント基板に固定された保持シートと、前記保持シートに対して前記プリント基板側とは反対側に配置されて前記保持シートと一体化された熱伝導層と、前記熱伝導層を保護するために前記熱伝導層に対して前記保持シート側とは反対側に配置された保護シートとを備え、前記保護シートは、全体又は一部が白色又は光沢色で形成されていることを特徴とする押圧式スイッチ。
【請求項３】
互いに離隔した複数の固定接点を有したプリント基板と、前記複数の固定接点に接触させられたときに前記複数の固定接点間を導通させる可動接点と、前記可動接点を保持し前記プリント基板に固定された保持シートと、前記保持シートに対して前記プリント基板側とは反対側に配置されて前記保持シートと一体化された熱伝導層と、前記熱伝導層を保護するために前記熱伝導層に対して前記保持シート側とは反対側に配置された保護シートとを備え、前記熱伝導層及び前記保護シートは、前記可動接点に対向する部分が開口していることを特徴とする押圧式スイッチ。
【請求項４】
前記プリント基板は、グランドパターンが形成されており、
前記熱伝導層は、導電性であり、前記グランドパターンに電気的に接続されていることを特徴とする請求項１から請求項３までのいずれか１項に記載の押圧式スイッチ。
【請求項５】
請求項１から請求項４までのいずれか１項に記載の押圧式スイッチを備えた電子機器。
【国際調査報告】
2007074512.tif 000011
2007074512.tif 000012
2007074512.tif 000013
2007074512.tif 000014